(57)【要約】      （修正有）【課題】作曲や編曲などの多様な音楽作業に活用される音楽装備の配置効率を向上させて音楽作業をより楽に遂行することができるようにするための音楽専門家用机を提供する。【解決手段】支持脚３０によって上板１０が一定の高さで支持され、上板の下側にはスライド板２０が水平方向に前後進可能に構成される机であって、スライド板にはキーボードが載置され、スライド板は左右両側が案内レール２１によって移動可能に支持され、スライド板の中間部は垂れ防止のための中央補強レール２２によって支持される。上板にはスピーカー、モニター、譜面台が装着される。【選択図】図１
0003228731.tif 000002
【実用新案登録請求の範囲】
【請求項１】
支持脚（３０）によって上板（１０）が一定の高さで支持され、前記上板（１０）の下側にはスライド板（２０）が水平方向に前後進可能に構成される机であって、
前記スライド板（２０）にはキーボード（１００）が載置され、前記スライド板（２０）は左右両側が案内レール（２１）によって移動可能に支持され、
前記スライド板（２０）の中間部は垂れ防止のための中央補強レール（２２）によって支持されることを特徴とする、音楽専門家用机。
【請求項２】
両側の前記案内レール（２１）は支持フレーム（２３）によって支持され、前記支持フレーム（２３）は前記支持脚（３０）に締結され、前記支持脚（３０）には前記支持脚（３０）の締結位置の可変調節のための多数の調節孔（３１）が一定の間隔で形成されることにより前記スライド板（２０）の高さが調節されることを特徴とする、請求項１に記載の音楽専門家用机。
【請求項３】
前記上板（１０）にはスピーカー（３００）の装着のためのスピーカー装着溝（１１）が形成され、前記スピーカー装着溝（１１）には前記スピーカー（３００）で発生する振動を吸収するための緩衝パッド（１２）が備えられることを特徴とする、請求項１に記載の音楽専門家用机。
【請求項４】
前記上板（１０）の底面には、前記スライド板（２０）に載置された前記キーボード（１００）に対する殺菌作用のための殺菌ランプ（１３）が備えられ、一側には前記キーボード（１００）の感知によって前記殺菌ランプ（１３）の動作を制御する感知センサー（１４）が備えられることを特徴とする、請求項３に記載の音楽専門家用机。
【請求項５】
前記上板（１０）には、楽譜集を立てることができるように、譜面台（１５）がヒンジピン（１５ａ）によって回動可能に構成され、前記譜面台（１５）の背面には角度調節棒（１６）が折り畳み可能に構成され、前記譜面台（１５）を保管することができるように、保管溝（１７）が前記上板（１０）に形成され、前記保管溝（１７）の底面には前記角度調節棒（１６）の端部がかかることができるように、鋸刃部（１７ａ）が連続的に形成され、前記角度調節棒（１６）の端部には前記鋸刃部（１７ａ）との衝撃の緩和のための緩衝ゴム（１６’）が一体に構成されることを特徴とする、請求項１に記載の音楽専門家用机。
【考案の詳細な説明】
【技術分野】
【０００１】
本考案は音楽専門家用机に関するもので、より詳しくは音楽作業をより容易に遂行することができるように便宜性が改善した音楽専門家用机に関するものである。
【背景技術】
【０００２】
一般に、机は、椅子に座って本を読むとか文を書くとか事務をするとかするとき、ユーザーの前において使うように上板が一定の高さを有するものである。このような机は、概してその構成及び大きさが大、中、小別に規格化した一体型家具であり、一般の家庭や事務室などで広く使われているものである。
【０００３】
しかし、作曲や編曲などを専門とする音楽専門家はコンピュータ作業とともに電子式キーボードを主に使わなければならないが、机上に一定の長さを有するキーボードを載せれば、机の大きな面積を占め、キーボードの高さが演奏に適しなく、それによって演奏者の手首が無理して腱鞘炎などの疾患が発生しやすくてコンピュータのモニター及びスピーカーなどを置く空間が足りないことが現実である。
【０００４】
一方、最近には、コンピュータ作業をより容易に行うためのコンピュータ机が普及されている。このようなコンピュータ机の従来の一例として、韓国登録実用新案第０３７３２４１号公報では、キーボード用引き出しがスライド可能に構成されるとともにモニターが昇降することができるコンピュータ机に係わる技術が開示されている。
【０００５】
しかし、従来のコンピュータ机は、キーボード引き出しが幅に制限があり、キーボード引き出しの支持力が弱いから重量体であるキーボード棚を載せれば、荷重によって撓みやすいか破損が発生する問題点があった。
【先行技術文献】
【特許文献】
【０００６】
【特許文献１】韓国登録実用新案第０３７３２４１号公報
【特許文献２】韓国登録特許第０７２６７９７号公報
【考案の概要】
【考案が解決しようとする課題】
【０００７】
本考案は前述した従来技術の問題点を改善するために提案されたものであり、作曲や編曲作業を専門的に行う音楽専門家が一層便利に音楽作業を遂行することができる機能性構造の音楽専門家用机を開発して提供することに目的がある。
【課題を解決するための手段】
【０００８】
前記目的を達成するための本考案は、支持脚によって上板が一定の高さで支持され、前記上板の下側にはスライド板が水平方向に前後進可能に構成される机であって、前記スライド板にはキーボードが載置され、前記スライド板は左右両側が案内レールによって移動可能に支持され、前記スライド板の中間部は垂れ防止のための中央補強レールによって支持されることを特徴とする。
【０００９】
前記両側案内レールは支持フレームによって支持され、前記支持フレームは支持脚に締結され、前記支持脚には支持脚の締結位置の可変調節のための多数の調節孔が一定の間隔で形成されることによりスライド板の高さが調節されることを特徴とする。
【考案の効果】
【００１０】
このような本考案による机は、キーボードが装着される引き出し型のスライド板が安定的な荷重支持構造を成すことにより、キーボードの重さによる垂れや破損の発生を防止して一層便利に音楽作業を遂行することができる効果を現す。
【００１１】
また、スライド板の高さが調節可能になることにより、キーボードの高さが楽器ごとに異なっても使用者の身体特性に合わせて最適の高さで使用可能な利点を現す。
【図面の簡単な説明】
【００１２】
【図１】本考案の第１実施例による音楽専門家用机の斜視図である。
【図２】本考案机の正面構造図である。
【図３】本考案机のスライド板の引出状態を示す断面構造図である。
【図４】本考案机のスライド板の収納状態を示す断面構造図である。
【図５】本考案机の使用状態を示す正面図である。
【図６】本考案机のスライド板の高さ調節を示す状態図である。
【図７】本考案の第２実施例による机の上板の断面構造図である。
【図８】本考案の第３実施例による机の正面構造図である。
【図９】本考案の第３実施例によるキーボードの殺菌動作を示す状態図である。
【図１０】本考案の第４実施例による机の上板の断面構造図である。
【考案を実施するための形態】
【００１３】
以下、本考案の具体的な実施例を添付図面に基づいて詳細に説明する。
【００１４】
本考案の実施例はさまざまな形態に変形可能であり、本考案の範囲が以下で詳細に説明する実施例に限定されるものに解釈されてはいけない。本実施例は当該分野で平均的な知識を有する者に本考案をより完全に説明するために提供するものである。
【００１５】
よって、図面に表現した構成要素の形状及び模様などはより明確な説明を強調するために誇張して表現することができる。各図で、同じ構成は同じ参照符号で示す場合があることに留意しなければならない。また、本考案の要旨を不必要にあいまいにする可能性があると判断される公知技術の機能及び構成についての詳細な説明は省略する。
【００１６】
まず、本考案の第１実施例による音楽専門家用机の構成を図１〜図４に基づいて説明すれば次のようである。
【００１７】
本実施例による机は、支持脚３０によって上板１０が一定の高さで支持され、前記上板１０の下側にはスライド板２０が水平方向に前後進可能に構成される。
【００１８】
特に、前記スライド板２０にはキーボード１００が載置され、前記スライド板２０は左右両側が案内レール２１によって移動可能に支持され、前記スライド板２０の中間部は垂れ防止のための中央補強レール２２によって支持される構造を成す。
【００１９】
また、４個の支持脚３０のそれぞれにはスライド板２０又は案内レール２１の高さ調節のための多数の調節孔３１が相異なる高さに一定の間隔で形成されている。
【００２０】
本実施例において、スライド板２０の両側の案内レール２１の構成は一般的なスライド引き出しに適用されるガイドレールと同じ技術構成であるので、具体的な構成の説明は省略する。
【００２１】
図面で、未説明符号２３はスライド板２０を両側で支持するための支持フレームを、２４は両側の支持フレーム２３を連結するとともに補強レール２２が装着される補強フレームをそれぞれ示す。
【００２２】
よって、前記スライド板２０、案内レール２１、中央補強レール２２、支持フレーム２３及び補強フレーム２４が単一の一体型組立構造体を成すとともに、支持脚３０に形成された調節孔３１と支持フレーム２３の相互間の締結位置の調節によってスライド板２０の設置高を調節することができる構造を成す。
【００２３】
このような構成を有する本考案による音楽専門家用机の使用による作用効果を説明する。
【００２４】
本考案による机には、図５に示すように、机の上板１０にモニター２００及びスピーカー３００が配置され、スライド板２０にはキーボード１００が載置された状態で音楽作業を実施することになる。
【００２５】
ここで、キーボード１００が載置されるスライド板２０は両側が案内レール２１によって支持されるとともに前後方向にスライド引出可能になっている。中間部には中央補強レール２２がさらに備えられることにより、キーボード１００の荷重による垂れの発生を防止することができるようになる。
【００２６】
すなわち、スライド板２０を引き出したとき、重量体であるキーボード１００の荷重がスライド板２０の前側に集中することになるが、中央補強レール２２によって荷重を安定的に支持することができるようになることが分かる。
【００２７】
さらに、支持脚３０の相異なる高さに形成された多数の調節孔３１によってスライド板２０の高さを可変的に調節することができるので、使用者の身体特性に合うように最適の高さに調節した状態でキーボード１００を載せて使用することができることが分かる。
【００２８】
すなわち、支持フレーム２３がビス締結によって支持脚３０の調節孔３１に組み立てられた状態で、調節孔３１のビス締結位置を調節することにより、スライド板２０及び補強フレーム２４が一緒に昇降調節できるようになる。
【００２９】
よって、本考案による机は、キーボードが載置される引き出し型のスライド板の荷重を安定的に支持することができるので、キーボードの重さによる垂れや偏り現象を防止し、音楽専門家が一層便利に音楽作業を遂行することができる効果を有する。
【００３０】
また、スライド板２０の高さを調節することができるので、キーボードの高さが楽器ごとに異なっても、使用者の身体特性に合わせて最適の高さに調節することができる。
【００３１】
一方、図７は本考案の第２実施例による構成を示すものであり、上板１０にはスピーカー３００の装着のためのスピーカー装着溝１１が形成され、前記スピーカー装着溝１１にはスピーカー３００で発生する振動を吸収するための緩衝パッド１２が備えられる。
【００３２】
このような構成を有すれば、上板１０の上面に形成されたスピーカー装着溝１１にスピーカー３００が装着されることにより、机に外部衝撃が伝達されてもスピーカー３００の遊動及び転倒の現象を防止するとともに安定的な装着及び支持状態を維持することができる。
【００３３】
特に、緩衝パッド１２はスピーカー３００で発生する振動を吸収する作用をするので、机の震え現象の発生を防止する利点を有する。
【００３４】
また、図８及び図９は本考案の第３実施例による構成を示すものであり、上板１０の底面には、スライド板２０に装着されたキーボード１００に対する殺菌作用のための殺菌ランプ１３が備えられ、一側にはキーボード１００の感知によって殺菌ランプ１３の動作を制御する感知センサー１４が備えられる。
【００３５】
このような構成を有すれば、スライド板２０が引き出された状態では感知センサー１４で上板１０の下側のキーボード１００が感知されないから、殺菌ランプ１３の動作を遮断させるようになり、スライド板２０が収納されてキーボード１００が感知されれば、殺菌ランプ１３を一定の時間（約５〜１０分）の間に動作させてキーボードに対する殺菌を実施するようになる。
【００３６】
よって、使用後に保管する過程でキーボードが自動で殺菌されるので、キーボード１００を衛生的で効率的に管理することができるようになる。
【００３７】
また、図１０は本考案の第４実施例による構成を示すものであり、上板１０には楽譜集を立てることができるように、譜面台１５がヒンジピン１５ａによって回動可能に構成され、前記譜面台１５の背面には角度調節棒１６が折り畳み可能に構成され、前記譜面台１５を保管することができるように、保管溝１７が上板１０に形成されている。
【００３８】
また、保管溝１７の底面には、角度調節棒１６の端部がかかることができるように、鋸刃部１７ａが連続的に形成され、前記角度調節棒１６の端部には鋸刃部１７ａとの衝撃の緩和及び摩擦力の増大のための緩衝ゴム１６’が一体に構成される。
【００３９】
このような構成を有すれば、普段には譜面台１５が保管溝１７内に横たえられるが、楽譜集を立てて見なければならない場合には、譜面台１５を立てて使用することができる。
【００４０】
特に、角度調節棒１６は下端部が鋸刃部１７ａにかかる構造を成すので、譜面台１５の支持角度を必要によって適切に可変的に調節することができる利点を有する。
【００４１】
また、緩衝ゴム１６’によって鋸刃部１７ａとの摩擦力が増大するとともに緩衝作用を成すので、譜面台１５の角度を安定的に調節することができる。
【００４２】
以上で、本考案の特定実施例を説明及び図示したが、本考案の音楽専門家用机の構造を当業者によって多様に変形して実施することができることは自明である。
【００４３】
例えば、前記実施例では１個の中央補強レールが取り付けられた状態を示したが、スライド板の荷重支持力の増大のためには、中央補強レールを２個以上取り付けることもできる。
【００４４】
したがって、このような変形実施例は本考案の技術的思想や範囲から個別的に理解されられてはいけなく、このような変形実施例は本考案の添付の実用新案登録請求の範囲内に含まれると言える。
【符号の説明】
【００４５】
１０    上板
２０    スライド板
２１    案内レール
２２    中央補強レール
２３    支持フレーム
２４    補強フレーム
３０    支持脚
３１    調節孔
１００    キーボード
２００    モニター
３００    スピーカー
【図１】
0003228731.tif 000003
【図２】
0003228731.tif 000004
【図３】
0003228731.tif 000005
【図４】
0003228731.tif 000006
【図５】
0003228731.tif 000007
【図６】
0003228731.tif 000008
【図７】
0003228731.tif 000009
【図８】
0003228731.tif 000010
【図９】
0003228731.tif 000011
【図１０】
0003228731.tif 000012